(57)【要約】【課題】本発明は、使用時には確実に浴槽形態を支持でき、不使用時には、収納等がし易く、且つ、支持部材単体で他の用途にも使用することができるベビーバスの提供を目的とすることを目的とする。【解決手段】空気の充填で浴槽形態とする本体部材２と、該本体部材２の浴槽形態を保持する敷設部材３とを備え、上記敷設部材３に、上記本体部材２の下面に敷設する敷設部８を形成するとともに、上記本体部材２に上記敷設部８を敷設したとき、本体部材２の外側部４を外周側から支持する支持部９を上記敷設部材３の外周部に形成したベビーバス１。【選択図】    図２
2005013307.tif 000002
【特許請求の範囲】
【請求項１】
空気の充填で浴槽形態とする本体部材と、該本体部材の浴槽形態を保持する敷設部材とを備え、
上記敷設部材に、上記本体部材の下面に敷設する敷設部を形成するとともに、
上記本体部材に上記敷設部を敷設したとき、本体部材の外側部を外周側から支持する支持部を上記敷設部材の外周部に形成した
ベビーバス。
【請求項２】
前記敷設部の上面と前記本体部材との下面を相互間で位置決め可能に形成した請求項１に記載のベビーバス。
【請求項３】
前記支持部を、前記敷設部材を平面視Ｕ字形に形成した
請求項１、又は、２に記載のベビーバス。
【請求項４】
前記敷設部材を、流体の注入で膨らむ膨張袋体で形成した
請求項１、２、又は、３に記載のベビーバス。
【発明の詳細な説明】
【０００１】
【発明の属する技術分野】
この発明は、袋状可撓性シートに空気を充填して浴槽形態とした乳幼児用のベビーバスに関し、さらに詳しくは、荷重を付与しても浴槽形態を保持可能なベビーバスに関する。
【０００２】
【従来の技術】
最近、空気を充填して使用する乳幼児用のベビーバスは、利用時には、空気を充填して使用し、不使用時には、空気を抜いておけば、邪魔にならないという利点を有することから頻繁に用いられている。
【０００３】
しかし、上記ベビーバスは、空気圧によって、浴槽形態を維持しており、軽量であるとともに柔軟であるため、例えば保護者が使用時に肘を掛けたり、乳幼児の頭部を載置すると、側部が傾倒したり、ベビーバスが横転したりしてしまうという問題を有する。
【０００４】
そこで、上記問題に対して例えば、下記特許文献１が提案されている。該特許文献１におけるベビーバスは、可撓性洗い桶の外周部下部における乳幼児の頭部を載置する側の下端にフラップ状の支持部を連結している。
上記支持部に空気を充填することで、例えば、乳幼児の頭部を載置して力を付与しても支持部で上記可撓性洗い桶を支持でき、安定させて乳幼児の入浴作業を行うことができる。
【０００５】
しかし、上記支持部は、上記可撓性洗い桶と一体に連結して外方に突出しているため、該支持部を収納する際にこれらは、ベラベラして取り扱いに苦慮することがある。また空気を抜いた後の折り畳み作業にしても、突出する頭載置部や支持部を上手に折り込まなければならない。
【０００６】
さらに上記支持部は、ベビーバスを例えば壁際で使用する場合など、使用場所によっては不要なときがあるが、そのときには、支持部のみ空気を抜いて折り畳むという作業をする必要がある。
【０００７】
【特許文献１】
特許第２９３４７２５号公報。
【０００８】
【発明が解決しようとする課題】
そこで本発明は、使用時には確実に浴槽形態を保持でき、不使用時には、収納等がし易く、且つ、支持部単体で他の用途にも使用することができるベビーバスの提供を目的とする。
【０００９】
【課題を解決するための手段】
この発明は、空気の充填で浴槽形態とする本体部材と、該本体部材の浴槽形態を保持する敷設部材とを備え、上記敷設部材に、上記本体部材の下面に敷設する敷設部を形成するとともに、上記本体部材に上記敷設部を敷設したとき、本体部材の外側部を外周側から支持する支持部を上記敷設部材の外周部に形成することを特徴とする。
【００１０】
この構成を採れば、利用者は、浴槽形態をした本体部材の下面部に敷設部材を敷設するだけで、本体部材に対して敷設部材を取り付けることができる。
【００１１】
さらに、利用者が本体部材に湯を貯溜すれば、上記敷設部には、貯湯された本体部材の自重による押圧力（重力）が加わり、敷設部材と本体部材とを一体に取り付けることができる。
【００１２】
本体部材の外側部を支持する支持部の位置がずれることがなく、該支持部により本体部材を支持することができる。
【００１３】
さらに、本体部材の外側部を支持するとともに、本体部材を隔てた両側の支持部が本体部材を嵌着する形態とすれば、より確実に本体部材を支持することができる。
【００１４】
以上により、利用者が、乳幼児を沐浴させたとき、本体部材は、傾倒することや、該本体部材の外側部が転倒してしまうこともない。
【００１５】
また、不使用時において、利用者は、敷設部材（特に支持部）の空気をまず抜き、本体部材への支持を解除する。これにより、本体部材の外側部は傾倒し易くなるため、本体部材内に貯湯した湯を容易に廃棄することができる。
【００１６】
さらに、本体部材の重量が軽量になり、敷設部に本体部材からの押圧力が作用しなくなれば、利用者は、本体部材と敷設部材とを容易に分離することができる。そして、本体部材と敷設部材とのそれぞれを折り畳んで収納することができる。
【００１７】
上記敷設部は、本体部材下面部以上の大きさで、あるいは、該本体部材下面部の一部に敷設可能な大きさで形成する等、上記敷設部に押圧力が作用できればいずれの大きさで形成しても構わない。
【００１８】
また、上記敷設部の上面と上記本体部材との下面を相互間で位置決め可能に形成することが好ましい。
【００１９】
具体的には、敷設部の特に上面を、ゴム、シリコン等の敷設部と本体部下面との接触抵抗を高めることができる材質で形成すればよい。
【００２０】
上記構成を採れば、湯を充填した本体部からの押圧力に加えて、敷設部材に対して本体部材を位置決めすることができるので、入浴中に乳幼児が激しく動いても、本体部材と敷設部材とを、より一体の状態に保つことができる。
【００２１】
その他、上記敷設部の上面と上記本体部材との下面には、相互間をさらに強固に位置決めするために、着脱可能に固定する固定手段を備えることもできる。
【００２２】
上記固定手段は、面ファスナ、スナップ、紐部材等で形成することができる。
【００２３】
さらに、上記固定手段は、本体部材の下面における少なくとも１部位に、あるいは、上記支持部における本体部材と対接する部位に固定手段を形成する等、本体部材と敷設部材とが接触する部位であれば、いずれの部位に形成しても構わない。
【００２４】
また、上記支持部は、前記敷設部材を平面視したとき、Ｕ字形に形成するとよい。支持部を上記Ｕ字形に形成すれば、本体部材に敷設部を敷設し易く、敷設後は、略外側部全体を支持部によって嵌着して本体部材を支持することができる。
【００２５】
さらに、本体部材と敷設部材とを分離する場合、利用者は、敷設部材におけるＵ字形の支持部を形成していない側と反対側を少し持ち上げてベビーバスを傾けばよい。
これにより、本体部材は支持部を形成していない側に敷設部上面をスライドして敷設部材と分離させることができる。
【００２６】
その他、上記支持部は、本体部材に敷設部を敷設したとき、該本体部材の外側部全体が包持される形態となるドーナツ形で形成する、あるいは、特に支持したい一部分のみ形成する等いずれの形態で形成しても構わない。
【００２７】
また、前記敷設部材を、敷設部材自体（特に支持部）を例えば、発砲樹脂マット等の弾性部材で形成してもよいが、空気はもちろん湯等の流体の注入で膨らむ膨張袋体で形成してもよい。持ち運びや不要時の収納等が便利になる。
【００２８】
【発明の効果】
この発明によれば、本体部材に敷設部材を敷設して湯を貯溜するだけで、該湯を貯溜した本体部材による荷重（押圧力）が敷設部材の敷設部を押圧する。使用者は、上記荷重を利用して容易に本体部材と敷設部材とを取り付けることができる。
【００２９】
上述するごとく、本体部材と敷設部材とを一体にすることで、支持部の位置もずれないため、本体部材の外側部を支持し続けることができる。
【００３０】
以上より、上記ベビーバスは、乳幼児の沐浴する際に該ベビーバスに力を付与する等しても、確実に浴槽形態を保持することができる。
【００３１】
この際、上記支持部を、例えば、上記敷設部材を平面視Ｕ字形に形成し、本体部材の外側部を支持部によって嵌着させてもよい。あるいは、上記敷設部の上面と上記本体部材との下面を相互間で位置決め可能に形成してもよい。
【００３２】
上記構成とすれば、本体部材と敷設部材との一体性をより一層増すことができる。
【００３３】
ベビーバスが、不要時においても、利用者は、本体部材と敷設部材とを個別に折り畳んで容易に収納することができる。
【００３４】
また、本体部材は、壁際で使用するときは、壁に本体部材を立てかける等して単体で使用することができる。
【００３５】
さらに、敷設部材は、ベッド、マット等として単体で他の用途で使用することができる。
【００３６】
【発明の実施の形態】
この発明の一実施形態を、以下図面を用いて説明する。
図１、図２に示すごとく、本発明のベビーバス１は、本体部材２と、敷設部材３とで形成している。
【００３７】
上記本体部材２は、平面視略長方形をなす桶状で、乳児を収容可能な大きさの凹部を形成する外側部４を設けており、この外側部４の背面部１０には、乳児の頭部を支える頭受け部５を、上方斜め後方に向けて突設している。
【００３８】
この本体部材２は、空気の注入で膨らむ膨張袋体で形成している。すなわちビニルやゴムなどの軟質シート材料を用いて袋状に形成している。一部に、空気を出し入れする空気注入口６を形成する。上記外側部４や頭受け部５、それに外側部４の下に位置する底面部７は、複数のチャンバで形成しているので、上記空気注入口６はチャンバごとに設ける。チャンバの形状や配置は、図示したものに限らず、適宜設定すればよい。
【００３９】
一方、敷設部材３は、さらに敷設部８と支持部９とで形成している。
上記敷設部８は、下面に撥水性、及び、ある程度の接触抵抗を有したゴム製等のシート材料で上記本体部材２の下面に敷設可能な大きさを備えて形成している。
【００４０】
上記支持部９は、上記本体部材２と同様にビニルなどの袋状の軟質シート材料に空気を充填して本体部材２の外側部４のチャンバより径大に、且つ、敷設部材３を平面視Ｕ字形に形成している。
【００４１】
さらに、支持部９は、上記本体部材２を上記敷設部８のシート材料の中央部に敷設したとき、該中央部の外周部における本体部材２の背面部１０、左右側面部１１、１２に対応する部位に、支持部９を熱溶着して敷設部８と一体に形成している。
【００４２】
また、図２に示すごとく上記ベビーバス１は、上記構成を採る本体部材２の下面に、敷設部８が位置するように敷設部材３を敷設すると、本体部材２と敷設部材３とを一体にすることができる。
【００４３】
このとき、図３（ａ）、（ｂ）に示すごとく支持部９は、本体部材２の外側部４における背面部１０、及び左右側面部１１、１２に対接し、特に、図３（ｂ）に示すごとく本体部材２の左右側面部１１、１２は、該左右側面部１１、１２と対接する部位の支持部９を嵌着した状態に取り付けることができる。
【００４４】
利用者は、敷設部材３を敷設した状態で上記本体部材２に湯を貯溜する。湯を貯溜した本体部材２の荷重による押圧力が敷設部８へ作用する。
【００４５】
さらに、このように湯を貯溜することにより、本体部材２の内側部１３には、水圧が加わり、本体部材２の外側部４が支持部９を押圧する。上記水圧により、支持部９と外側部４との対接する部位を、より一層嵌着させることができる。
【００４６】
上述するごとく、本体部材２に湯を貯溜するだけで本体部材２と敷設部材３との一体性をより一層増すことができる。
【００４７】
本体部材２と敷設部材３との一体性を増すことで、利用者がベビーバス１を使用中に本体部材２の背面部１０に荷重を付与しても、その反動で本体部材２が支持部９を形成していない敷設部材３の前方に敷設部８上面を滑動して本体部材２と敷設部材３とが分離してしまうこともない。
【００４８】
また、本体部材２と敷設部材３との一体性を増すことで、支持部９は、本体部材２の前側部２１を除いた外側部４と対接する部位で本体部材２を支持し続けることができる。
【００４９】
また、その際、Ｕ字形の支持部９は、敷設部８に一体に熱溶着しているため、例えば、本体部材２の左右各側面部１１、１２、あるいは、背面部１０のいずれか一側部に荷重が付与されても支持部９全体で支えることができる。
よって、支持部９が傾倒することや、敷設部８から分離して本体部材２が転倒してしまうことがない。
【００５０】
不使用時には、利用者は敷設部材３（特に支持部９）の空気をまず抜き、本体部材２への支持を解除する。これにより、本体部材２の側面部１４は傾倒し易くなるため、本体部材２内の湯を容易に廃棄することができる。
【００５１】
さらに、本体部材２からの押圧力が敷設部８に作用しなくなれば、利用者は、本体部材２と敷設部材３とを容易に分離することができる。そして、本体部材２と敷設部材３とを折り畳んで容易に収納することができる。
【００５２】
このように、ベビーバス１は、ゴム製の敷設部上面を利用して本体部材２と敷設部材３とを位置決めするため部品点数を少なくでき、低コストで製造することができるとともに、本体部材２と敷設部材３とを別々にしたとき、それぞれの部材の見栄えを良好にできる。
【００５３】
しかし、例えば、敷設部８をビニル材等の比較的滑り易い部材で形成した場合、あるいは、さらに本体部材２との一体性を増したい場合は、面ファスナを用いてもよい。
【００５４】
この場合、図４に示すごとく、面ファスナの一方２２ａを敷設部８の上面に適宜間隔を隔てて３枚を添着する。さらに、面ファスナの他方２２ｂを、ベビーバス１を一体にしたとき本体部材２の下面における上記添着した部位と接触する部位に添着してもよい（図示せず）。
【００５５】
上記構成を採れば、本体部材２の下面と敷設部材３とは、互いに面接触の状態で取り付くため、上記一対の面ファスナ２２ａ、２２ｂで強固に固定することができる。
【００５６】
なお、必要に応じて、面ファスナの一方を敷設部材３の支持部９に添着し、面ファスナの他方を、ベビーバス１を一体にしたとき本体部材２の外側部４における上記面ファスナの一方に接触する部位に形成してもよい。
【００５７】
また、他の実施形態として、敷設部材３を、図５（ａ）に示すごとく、上記支持部９を平面視が上記支持部９と同じ大きさのＵ字形で、上記支持部９より径細のチャンバの２つを上下方向に積層したとき、該各チャンバどうしの接触部分を熱溶着し、下側に位置するチャンバと敷設部８との接触部分を熱溶着して形成してもよい。
【００５８】
上記構成を採れば、図５（ｂ）に示すごとく敷設部材３の支持部９と、本体部材２の外側部４とが嵌着する際、２段に積層したチャンバの内周部１５に、該外側部４のチャンバの密接部分を大きく確保して、側面部１４のチャンバを支持部９により嵌着させることができる。
【００５９】
また、他の実施の形態として、図６に示すごとく、本体部材２の略幅方向の長さを備えた樽状をなす支持部材１６を形成してもよい。
なお、上記支持部材１６も、上記本体部材２と同様にビニルなどの袋状をした膨張袋体に空気を充填して形成している。
【００６０】
また、図６に示すごとく、上記支持部材１６を本体部材２の前側部２１に対接する状態で倒伏させたとき、敷設部材３の敷設部８を前端部１７から上記支持部材１６の側面部１８が略半分程度包持可能な長さで延設する。
【００６１】
さらに、上記延設した延設部２３と支持部材１６との対接部位にそれぞれ面ファスナの一方１９ａと面ファスナの他方１９ｂとをそれぞれ添着する。また、本体部材２の外側部４の前側部２１と、支持部材１６とが対接する部位にもそれぞれ面ファスナの一方２０ａと面ファスナの他方２０ｂとを添着している。
【００６２】
上記面ファスナ１９ａ、１９ｂ、及び、面ファスナ２０ａ、２０ｂをそれぞれ係合して支持部材１６は、本体部材２と、敷設部材３とに一体に取り付いている。
【００６３】
上記構成を採れば、例えば、利用者（保護者、又は、乳幼児）が本体部材２の前側部２１に力を付与したとき、支持部材１６は、敷設部８に包持される状態で面ファスナ１９、２０どうしが係合しているため、ベビーバス１使用時に本体部材２から支持部材１６が離間してしまうことがない。また、支持部材１６が不要のときは、利用者（保護者）が任意に本体部材２から該支持部材１６を離間させてベビーバス１を用いることができる。
【００６４】
さらに、支持部材１６を用いることで外側部４の前側部２１が傾倒することなく、平面視Ｕ字形の支持部９、及び、支持部材１６により、本体部材２の外側部４全体を囲む形態で、支持できる。よって、敷設部材３に対して本体部材２が滑動することもない。
【００６５】
さらに、ベビーバス１は、支持部９を平面視Ｕ字形に形成するのではなく、本体部材２の背面部１０側のみに対接する部位に形成してもよい。あるいは、本体部材２の左右側面部１１、１２の支持部９については、上記支持部材１６を前側部２１に取り付けたのと同様の構成で左右各側面部１１、１２の支持部材１６を着脱可能に形成する等上記構成のみに限定されない。
【００６６】
さらに、乳児が重い場合、沐浴させる親などの使用者が腕や膝に負担を感じる場合には、支持部材１６を支持部９のさらに上方に積載する形態で取り付ければ、本体部材２の外側部４の縁では支えられない荷重を支持部材１６によって支持するので、腕に掛かる負荷を軽減できる。
【００６７】
また、上記ベビーバス１は、本体部材２と敷接部材とを、それぞれ単独で用いることもできる。
【００６８】
例えば、敷設部材３に着目すると図７に示すごとく、敷設部材３の敷設部８を断面視半円状のチャンバが複数本並設させて敷設部材３を形成してもよい。
【００６９】
上記構成をとれば、該敷設部材３は、従来どおり本体部材２とともにベビーバス１としても用いることができ、しかもベビー用マット部材、ベッド部材等の入浴の用途以外の用途で用いることもできる。
【００７０】
また、上述した敷設部材３の支持部９、あるいは、敷設部８は、膨張袋体で形成することに限定せず、ウレタンゴム等の弾性部材等で形成してもよい。
【００７１】
さらに、上述するごとく、ベビーバス１は、上述するようにチャンバごとに空気注入口６を介して独立に空気を充填する形態で形成してもよいが、各チャンバ間が連通させ一気に空気を充填する形態で形成してもよい。
【００７２】
上述の実施形態と、この発明の構成との対応において、
この実施形態の一対の面ファスナ２２ａ、２２ｂは、この発明の固定手段に対応するも、
この発明は、上述の実施形態の構成のみに限定されるものではなく、多くの実施の形態を得ることができる。
【図面の簡単な説明】
【図１】離間した状態のベビーバスを表す外観図。
【図２】一体にした状態のベビーバスを表す外観図。
【図３】図２におけるベビーバスの縦方向と横方向との断面図。
【図４】他のベビーバスを表す外観図。
【図５】ベビーバスの他の敷設部材を表す外観図（ａ）、図５（ａ）におけるＡＢ矢視図（ｂ）。
【図６】さらに他のベビーバスを表す外観図（ａ）、図６（ａ）におけるＡＢ矢視図（ｂ）。
【図７】ベビーバスのさらに他の敷設部材を表す外観図。
【符号の説明】
１…ベビーバス
２…本体部材
３…敷設部材
４…外側部
８…敷設部
９…支持部
【図１】
2005013307.tif 000003
【図２】
2005013307.tif 000004
【図３】
2005013307.tif 000005
【図４】
2005013307.tif 000006
【図５】
2005013307.tif 000007
【図６】
2005013307.tif 000008
【図７】
2005013307.tif 000009